(57)【特許請求の範囲】
【請求項１】
被処理液体を通す密閉管と、
前記密閉管内に備えられた透光性のガラス保護管と、
前記ガラス保護管に内挿されて、前記被処理液体を浄化するための紫外線を放射する放電灯と、
前記放電灯に電力を印加する電源と、
前記電源と前記放電灯とにそれぞれ電気的に接続される共に、互いに電気的に接続される着脱自在な接続部材と、
前記ランプ保護管に前記放電灯を挿入するための挿入口に接近する人体の一部を感知し、感知信号を出力する感知手段と、
前記感知信号に基づき前記電源の電路を遮断する開閉手段と
を具え、
前記各接続部材のうち、前記放電灯に電気的に接続される接続部材は、該放電灯の一端に配置された給電用口金であり、前記電源に電気的に接続される接続部材は、前記給電用口金に着脱自在なものであって、前記ランプ保護管の外部に配置されたソケットであり、
前記給電用口金は、前記ランプ保護管の内部に挿入する小径部と、該小径部から前記ランプ保護管の外部に表出する大径部とを具え、該大径部には、前記ソケットと接して前記放電灯に給電する給電ピンが設けられていて、該小径部は、該給電ピンの長さを超えて前記ランプ保護管の内部に挿入されるようになっており、これにより、前記給電用口金を前記ソケットから取り外さない限り前記放電灯を前記ランプ保護管から抜き出すことができず、もって、前記各接続部材は、相手方の接続部材から取り外されて電気的な接続が切断されない限り、前記放電灯を前記ガラス保護管から抜き出し得ないよう構成されていることを特徴とする紫外線浄化装置。
【請求項２】
前記放電灯に接続される接続部材は、該放電灯の一端に配置されて、当該放電灯内の両端に備えられた電極にそれぞれリード線を介して電気的に接続されており、該各リード線のうち、該放電灯の他端側の電極に接続されるリード線として非被覆電線を使用した請求項１に記載の紫外線浄化装置。
【請求項３】
前記非被覆電線は、ニッケルを主成分とする非被覆電線であることを特徴とする請求項２に記載の紫外線浄化装置。
【請求項４】
前記給電用口金は、絶縁性及び遮光性を有する材料によって形成されている請求項１に記載の紫外線浄化装置。
【発明の詳細な説明】
【０００１】
【発明の属する技術分野】
本発明は、放電灯から発する紫外線エネルギーを利用して、被処理液体中の有害物や有機物の分解、殺菌などの浄化処理を行う紫外線浄化装置に関する。
【０００２】
【従来の技術】
短波長域の紫外線は有害物や有機物の分解、殺菌など多岐に渡って利用されており、１８５ｎｍや２５４ｎｍなどの紫外線発生源として低圧水銀放電灯が知られている。図５に従来技術の紫外線浄化装置における有機物分解装置の一例を示す。図５において、ステンレス製のシリンダー３１は、両端がフランジ３１ａ及び３１ｂによって水密に閉じられている。このシリンダー３１には、入水口用のフランジ３１ｃと、出水口用のフランジ３１ｄとが設けられており、入水口用のフランジ３１ｃ側から取り入れた被処理液体をシリンダー３１内に通し、出水口用のフランジ３１ｄ側から排出する。シリンダー３１内において、フランジ３１ａ及び３１ｂ間には、透光性を有するランプ保護用の複数本（図示例では、１本のみ記載）の石英ガラス管３２がグランドナット３３ａ及び３３ｂによって、水密状態で固定されている。石英ガラス管３２内には、例えば、低圧水銀蒸気放電灯のような短波長域の紫外線を放射する放電灯３４が挿入されている。放電灯３４の一端には給電部を有するセラミック製の給電用口金３５が取り付けられており、他方、この口金３５と嵌合するセラミック製ソケット３６がフレキシブルなリード線３７ａ及び３７ｂを介して、所定の電源（図示せず）に電気的に接続される構造になっている。
【０００３】
図６を参照して、放電灯３４および口金３５と嵌合するソケット３６の構成を更に詳しく説明する。図６において、放電灯３４は、石英ガラス製の放電管本体３４ａを有し、その放電管本体３４ａの両端に電極３８ａ及び３８ｂが気密に封止されている。放電管本体３４ａ内には、所定量の水銀とアルゴンなどの希ガスが封入されている。口金３５には、放電管本体３４ａ内のそれぞれの電極３８ａ及び３８ｂに電気的に繋がるオス型給電ピン３９ａ及び３９ｂが具備されている。４０はフッ素系樹脂の絶縁被覆が施されたリード線である。リード線４０は、放電管本体３４ａの外部で該放電管本体３４ａに沿って敷設されることによって、口金３５の給電ピン３９ｂと該給電ピン３９ｂから遠い側の電極３８ｂとを電気的に接続する。ソケット３６の内部には、口金３５の給電ピン３９ａ及び３９ｂにそれぞれ嵌合するメス型端子４１ａ及び４１ｂが埋め込まれている。口金３５とソケット３６とを嵌め合わせて、電源を投入すると、放電灯３４が点灯する。放電灯３４は水銀特有の紫外線を放射し、その紫外線が石英ガラス管３２を透過して被処理液体中に照射されることによって、該被処理液体中に含まれる有機物などを分解することができる。
【０００４】
かかる装置においては、例えば、放電灯を交換する場合、放電灯を石英ガラス管に装着もしくは脱着する操作が容易に行えるようにするため、ソケットのリード線は、フレキシブルで、且つ余裕を持った長さに設定されている。これによって、片手で放電灯を支えながら一方の手でソケットを差し込んだり、引き抜いたりする動作を容易に行うことができる。放電灯の点灯・消灯は当然のことながら電源側のブレーカーのオン・オフ操作で行われるが、ソケットのリード線がフレキシブルで、且つ余裕を持った長さに設定されているため、故意・過失を問わず通電されている状態のまま、放電灯を石英ガラス管から抜き出すことができる。放電灯が通電状態のまま石英ガラス管から抜き出される場合において、万一の感電を防止するため、放電灯の外部で該放電灯に沿って敷設されるリード線には、紫外線とオゾンに最も強いフッ素系樹脂の絶縁被覆が施されたワイヤーが使用されている。
【０００５】
【発明が解決しようとする課題】
上記従来の紫外線浄化装置では、リード線としてフッ素系樹脂の絶縁被覆を施したワイヤーを使用しているため、フッ素系樹脂が長時間、紫外線とオゾンに晒されることによって絶縁劣化を起こし、劣化と共にフッ素が析出し大気中の水分と化合してフッ化水素を生成することがある。この場合、フッ化水素は石英ガラス管と反応して、該石英ガラス管に白濁を生じさせるため、この白濁によって紫外線の被処理液体に対する照射光量が低減し、装置性能が低下するという問題があった。また、ソケットは、フレキシブルで、且つ余裕を持った長さに設定されたリード線を備えているため、放電灯を交換する際に、放電灯が通電状態のまま石英ガラス管から抜き出された場合、人体が紫外線を浴びることによる紫外線被爆障害、例えば、視力障害や火傷など種々の障害を引き起こす可能性がある。
【０００６】
本発明は、上記点に鑑みて為されたもので、フッ化水素による白濁を解消できて装置性能の低下を防止することのできる紫外線浄化装置を提供しようとするものである。また、放電灯を交換する際の紫外線被爆などを防止できて人体に対する安全性を向上させることのできる紫外線浄化装置を提供しようとするものである。また、フッ化水素による白濁を解消できて装置性能の低下を防止することのできると共に、放電灯を交換する際の紫外線被爆などを防止できて人体に対する安全性を向上させることのできる紫外線浄化装置を提供しようとするものである。
【０００７】
【課題を解決するための手段】
本発明に係る紫外線浄化装置は、被処理液体を通す密閉管と、前記密閉管内に備えられた透光性のガラス保護管と、前記ガラス保護管に内挿されて、前記被処理液体を浄化するための紫外線を放射する放電灯と、前記放電灯の一端に備えられた給電用の接続部材と、前記ランプ保護管に前記放電灯を挿入するための挿入口に接近する人体の一部を感知し、感知信号を出力する感知手段と、前記感知信号に基づき前記電源の電路を遮断する開閉手段とを具え、前記接続部材は、前記放電灯の両端に備えられた電極にそれぞれリード線を介して電気的に接続されており、該各リード線のうち、前記放電灯の他端側の電極に接続されるリード線として非被覆電線を使用したものである。これによれば、リード線が非被覆電線であるので、該リード線が紫外線とオゾンに長時間晒されても、フッ化水素が生成されることがなく、よって、フッ化水素によるランプ保護管の白濁を解消することができて、装置性能の低下を防止することができる。
【０００８】
また、上記紫外線浄化装置において、ランプ保護管に放電灯を挿入するための挿入口に接近する人体の一部を感知し、感知信号を出力する感知手段と、前記感知信号に基づき前記電源の電路を遮断する開閉手段とを更に具えているので、ランプ保護管の挿入口に接近する人体の一部を感知して、電源の電路を遮断することにより、放電灯を消灯させることができるので、放電灯を交換する際の紫外線被爆を防止することができ、よって、上記の効果に加えて、人体に対する安全性を向上させることができる。
【０００９】
また、上記紫外線浄化装置において、前記各接続部材のうち、前記放電灯に電気的に接続される接続部材は、該放電灯の一端に配置された給電用口金であり、前記電源に電気的に接続される接続部材は、前記給電用口金に着脱自在なものであって、前記ランプ保護管の外部に配置されたソケットであり、前記給電用口金は、前記ランプ保護管の内部に挿入する小径部と、該小径部から前記ランプ保護管の外部に表出する大径部とを具え、該大径部には、前記ソケットと接して前記放電灯に給電する給電ピンが設けられており、該小径部は、該給電ピンの長さを超えて前記ランプ保護管の内部に挿入されるようになっており、これにより、前記給電用口金を前記ソケットから取り外さない限り前記放電灯を前記ランプ保護管から抜き出すことができず、もって、前記各接続部材は、相手方の接続部材から取り外されて電気的な接続が切断されない限り、前記放電灯を前記ガラス保護管から抜き出し得ないよう構成されていることを特徴とするものである。これによれば、各接続部材において、相手方の接続部材から取り外すことによって、放電灯と電源との電気的な接続を切断することによって放電灯を消灯させることができるので、放電灯を交換する際の紫外線被爆を防止することができ、よって、人体に対する安全性を向上させることができる。
【００１０】
また、上記紫外線浄化装置において、放電灯に接続される接続部材は、該放電灯の一端に配置されて、当該放電灯内の両端に備えられた電極にそれぞれリード線を介して電気的に接続されており、該各リード線のうち、該放電灯の他端側の電極に接続されるリード線として非被覆電線を使用すれば、該リード線が紫外線とオゾンに長時間晒されても、フッ化水素が生成されることがなく、フッ化水素によるランプ保護管の白濁を解消することができるので、上記の効果に加えて、装置性能の低下を防止することができる。
【００１２】
【発明の実施の形態】
以下、本発明の実施の形態を図面を参照して説明する。
図１に、本発明の紫外線浄化装置の一実施例である有機物分解装置の概略構成を示し、図２に、有機物分解装置における放電灯の給電部分の拡大断面図を示す。
図１において、ステンレス製のシリンダー１は、両端がフランジ１ａ及び１ｂによって水密に閉じられている。このシリンダー１には、入水口用のフランジ１ｃと、出水口用のフランジ１ｄとが設けられており、入水口用のフランジ１ｃ側から取り入れた被処理液体をシリンダー１内に通し、出水口用のフランジ１ｄ側から排出する。シリンダー１内において、フランジ１ａ及び１ｂ間には、透光性を有する略円筒状に形成されたランプ保護用の複数本（図示例では、１本のみ記載）の石英ガラス製の石英ガラス管２がグランドナット１１ａ及び１１ｂによって、水密状態で固定されている。
【００１３】
石英ガラス管２内には、図１及び図２に示されるように、例えば、低圧水銀蒸気放電灯のような短波長域の紫外線を放射する放電灯３が挿入されている。放電灯３の一端には、絶縁性及び遮光性を有するセラミック製の給電用口金４が設けられており、該放電灯３の一端側に位置するグランドナット１１ａには、上記の給電用口金４に着脱自在な絶縁セラミック製のソケット５が固着されている。給電用口金４は、図２に拡大して示されるように、石英ガラス管２の放電灯挿入口２ａから内部に挿入される筒状の小径部４ａと、該小径部４ａから石英ガラス管２の外部に表出する大径部４ｂとを有して構成されており、該大径部４ｂには石英ガラス管２への放電灯３の挿入方向に突出するオス型形状の一対の給電ピン６ａ及び６ｂが設けられている。一方、ソケット５には、給電用口金４の給電ピン６ａ及び６ｂにそれぞれ電気的に接続される一対のメス型プラグ７ａ及び７ｂが埋め込まれている。メス型プラグ７ａ及び７ｂには、図１に示されるように、フレキシブルなリード線８ａ及び８ｂを介して放電灯点灯用電源（安定器）９に電気的に接続されており、該電源９から放電灯３の点灯に必要な電力が印加される。小径部４ａは、石英ガラス管２の長手方向において、給電ピン６ａ及び６ｂよりも長くなるよう形成され、該給電ピン６ａ及び６ｂの長さを超えて石英ガラス管２の内部に挿入される。これによって、給電用口金４の一対の給電ピン６ａ及び６ｂがソケット５の対応するメス型プラグ７ａ及び７ｂにそれぞれ嵌合して、給電ピン６ａ及び６ｂとメス型プラグ７ａ及び７ｂとが電気的に接続される。
【００１４】
給電用口金４の一対の給電ピン６ａ及び６ｂのうち、一方の給電ピン６ａは、放電灯３における石英ガラス製の放電灯本体３ａの一端側に設けられた電極１０ａにリード線１１ａを介して電気的に接続されており、他方の給電ピン６ｂは、上記放電灯本体３ａの他端側に設けられた電極１０ｂに、例えば、ニッケル（Ｎｉ）を主成分とする非被覆電線からなるリード線１１ｂを介して電気的に接続されている。リード線１１ａは、給電用口金４内において、上記の給電ピン６ａと電極１０ａとを電気的に接続しているが、リード線１１ｂは、給電用口金４内から外部に引き出されて放電灯３の放電灯本体３ａに沿って敷設されることによって上記の給電ピン６ｂと電極１０ｂとを電気的に接続している。
【００１５】
本実施例に示す紫外線浄化装置では、放電灯３を石英ガラス管２に装着する場合、先ず、放電灯挿入口２ａから石英ガラス管２内に放電灯３を挿入し、次に、石英ガラス管２内に給電用口金４の小径部４ａを挿入すると共に、大径部４ｂの一対の給電ピン６ａ及び６ｂを対応するソケット５のメス型プラグ７ａ及び７ｂに嵌め合わせて接続する。これによって、給電用口金４の一対の給電ピン６ａ及び６ｂとソケット５の一対の対応するメス型プラグ７ａ及び７ｂとが電気的に接続される。その状態で、図示しないブレーカーをオン操作して電源９を投入すると、該電源９からソケット５及び給電用口金４を介して放電灯３に電力が印加され、放電灯３が点灯する。放電灯３は、水銀特有の紫外線を放射し、その紫外線が石英ガラス管２を透過してシリンダー１内の被処理液体中に照射され、これによって、該被処理液体中に含まれる有機物などを分解する浄化処理を行う。シリンダー１の内壁面には、例えば、酸化チタンなどの光触媒がコーティングされており、この光触媒に紫外線が照射されることで被処理液体中の酸素が活性化されてオゾンが発生し、このオゾンによって被処理液体中の有機物が効果的に分解される。
【００１６】
本実施例に示す紫外線浄化装置においては、放電灯３のリード線１１ｂは、被処理液体の浄化処理中は紫外線とオゾンに長時間晒されることとなるが、ニッケルを主成分とする非被覆電線を使用しているので、フッ素系樹脂の絶縁被覆を施したワイヤーのようにフッ化水素が生成されることがない。これによって、従来のようなフッ化水素による石英ガラス管２の白濁を解消することができ、装置性能の低下を防止することができる。また、放電灯３を交換するには石英ガラス管２から抜き出さなくてはならないが、この場合、給電用口金４の小径部４ａが大径部４ｂの給電ピン６ａ及び６ｂの長さを超えて石英ガラス管２の内部に挿入されているので、給電用口金４をソケット５から取り外さない限り、放電灯３を石英ガラス管２から抜き出すことができない。給電用口金４をソケット５から取り外すことで、給電ピン６ａ及び６ｂとメス型プラグ７ａ及び７ｂとの電気的な接続が切断されるので、放電灯３への給電が断たれて該放電灯３が消灯する。これによって、放電灯３を交換する際の紫外線被爆を防止することができると共に、放電灯３の非被覆リード線１１ｂによって感電することも防止することができるので、人体に対する安全性を向上させることができる。
【００１７】
図３に、本発明の紫外線浄化装置の他の実施例を示す。本実施例の紫外線浄化装置は、前述した紫外線浄化装置の給電用口金４とソケット５とに代えて、オス型コネクター１２と該オス型コネクター１２に着脱自在なメス型コネクター１３とを用いた他は、前述の紫外線浄化装置と同じ構成となっている。
【００１８】
図３において、オス型コネクター１２は、放電灯３の一端に設けられた絶縁セラミック製の口金１４を貫通して外部に引き出されたフレキシブルな一対のリード線１５ａ及び１５ｂを含んで構成されてなり、該リード線１５ａ及び１５ｂの先端に電気的に接続されている。一対のリード線１５ａ及び１５ｂのうち、一方のリード線１５ａは、放電灯３の一端側に設けられた電極１０ａに電気的に接続されており、他方のリード線１５ｂは、放電灯３の他端側に設けられた電極１０ｂに前述の非被覆リード線１１ｂを介して電気的に接続されている。一対のリード線１５ａ及び１５ｂはフレキシブルであるため最小限の遊びがあるが、口金１４は放電灯３と共に該リード線１５ａ及び１５ｂの遊びの長さを超えて石英ガラス管３内に挿入される。
【００１９】
メス型コネクター１３は、シリンダー１の放電灯３の一端側に位置するフランジ１ａに固着されている。このメス型コネクター１３は、フレキシブルなリード線１６ａ及び１６ｂを含んで構成されてなり、該リード線１６ａ及び１６ｂの先端に電気的に接続されている。リード線１６ａ及び１６ｂの他端は、図示しない放電灯点灯用電源に電気的に接続されており、これによって、該電源から放電灯３の点灯に必要な電力がメス型コネクター１３に印加される。このメス型コネクター１３にオス型コネクター１２を嵌め込んで接続することによって、メス型コネクター１３とオス型コネクター１２は電気的に接続される。
【００２０】
本実施例に示す紫外線浄化装置では、放電灯挿入口２ａから石英ガラス管２内に放電灯３を挿入した後、オス型コネクター１２をメス型コネクター１３に嵌め込むことによって、オス型コネクター１２とメス型コネクター１３とが電気的に接続される。その状態で、図示しないブレーカーをオン操作して電源を投入すると、該電源からオス型コネクター１２及びメス型コネクター１３を介して放電灯３に電力が印加され、放電灯３が点灯する。放電灯３は、水銀特有の紫外線を放射し、シリンダー１内の被処理液体中に含まれる有機物などを分解する浄化処理を行う。また、放電灯３を交換するには石英ガラス管２から抜き出さなくてはならないが、この場合、放電灯３の口金１４がオス型コネクター１２の一対のリード線１５ａ及び１５ｂの最小限の遊びの長さを超えて石英ガラス管２内に挿入されているので、オス型コネクター１２をメス型コネクター１３から取り外さない限り、放電灯３を石英ガラス管２から抜き出すことができない。オス型コネクター１２をメス型コネクター１３から取り外すことで、オス型コネクター１２とメス型コネクター１３との電気的な接続が切断されるので、放電灯３への給電が断たれて該放電灯３が消灯する。これによって、放電灯３を交換する際の紫外線被爆を防止することができると共に、放電灯３の被被覆リード線１１ｂによって感電することも防止することができるので、人体に対する安全性を向上させることができる。
【００２１】
本実施例に示す紫外線浄化装置において、メス型コネクター１３をシリンダー１のフランジ１ａに固着した例を説明したが、該メス型コネクター１３を固着せずに当該メス型コネクター１３に繋がるリード線１６ａ及び１６ｂをシリンダー１のフランジ１ａに固着してもよい。また、オス型コネクター１２を放電灯３側に設け、メス型コネクター１３をシリンダー１側に設けた例を説明したが、これとは逆に、オス型コネクター１２をシリンダー１側に設け、メス型コネクター１３を放電灯３側に設けても同様な効果を得ることができる。この場合、オス型コネクター１２をシリンダー１のフランジ１ａに固着してもよいし、該オス型コネクター１２に繋がるリード線１５ａ及び１５ｂをシリンダー１のフランジ１ａに固着してもよい。
【００２２】
図４に、本発明の紫外線浄化装置の更に他の実施例を示す。本実施例の紫外線浄化装置は、前述した紫外線浄化装置の給電用口金４及びソケット５や、オス型コネクター１２及びオス型コネクター１３に代えて、石英ガラス管２の放電灯挿入口２ａを監視する監視センサー１７を用いた他は、図１に示される紫外線浄化装置と同じ構成となっている。監視センサー１７としては、例えば、人体が発する赤外線を感知し、それを電気信号に変換して出力するセンサーが用いられる。
【００２３】
図４において、監視センサー１７は、例えば、放電灯３の一端側に位置するシリンダー１のフランジ１ａに支持部材１８を介して取り付けられる。また、シリンダー１のフランジ１ａには、監視センサー１７及び放電灯挿入口２ａを覆う蓋１９が取り外し可能に設けられる。監視センサー１７に繋がるリード線２０は、蓋１９を貫通して外部に引き出され、放電灯点灯用電源である安定器２１の一次側ブレーカー２２に接続されている。一次側ブレーカー２２は、監視センサー１７から感知信号が出力された場合にのみ安定器２１の電路を開放（オフ）するが、それ以外は安定器２１の電路を遮断（オン）するようになっている。放電灯３の一端側には絶縁セラミック製の口金２３が設けられており、該口金２３を貫通して外部に引き出された放電灯３のフレキシブルなリード線２４ａ及び２４ｂは安定器２１に接続されている。
【００２４】
本実施例の紫外線浄化装置では、蓋１９をフランジ１ａから取り外して、放電灯３を放電灯挿入口２ａから抜き出そうと近づく人体の手指などを監視センサー１７で感知し、該監視センサー１７がその感知信号を一次側ブレーカー２２に出力する。一次側ブレーカー２２は、監視センサー１７から感知信号が出力されるので、安定器２１の電路を開放（オフ）し、これによって、放電灯３への給電が断たれて該放電灯３が消灯する。これによって、放電灯３を交換する際の紫外線被爆を防止することができると共に、放電灯３の非被覆リード線１１ｂによって感電することも防止することができるので、人体に対する安全性を向上させることができる。
【００２５】
本実施例に示す紫外線浄化装置において、監視センサー１７として、人体が発する赤外線を感知し、それを電気信号に変換して一次側ブレーカー２２を遮断するセンサーを用いた例を説明したが、超音波や光などを利用して人体の一部を感知するセンサーを適宜用いてもよい。また、監視センサー１７と共に、前述した給電用口金４及びソケット５からなる接続部材若しくはオス型コネクター１２及びメス型コネクター１３からなる接続部材を併用することによって、より安全性と信頼性を高めることができる。
【００２６】
以上、説明したように、本実施の形態に示した紫外線浄化装置においては、人体に対する感電と紫外線被爆という安全性の問題に関して、極めて高い安全性が確保できる。従来技術の紫外線浄化装置においては、万一の場合、災害発生の可能性が皆無ではなかったが、本発明の紫外線浄化装置では、従来技術の紫外線浄化装置に比べて、災害発生の可能性をより低減することができる。また、従来技術の紫外線浄化装置に見られた石英ガラス管の白濁という現象を防止できるので、装置性能を向上させることができる。ちなみに、従来技術装置と図１に示される実施例に示した装置において、それぞれ１年間使用した後における有機物分解能力を比較した結果、約１．３倍強の性能向上を確認できた。これは白濁の有無の違いによる差であることも確認できた。
【００２７】
【発明の効果】
以上、説明したように、本発明の紫外線浄化装置によれば、放電灯の一端に備えられた給電用の接続部材と、該放電灯の他端側の電極に接続されるリード線として非被覆電線を使用したので、該リード線が紫外線とオゾンに長時間晒されても、フッ化水素が生成されることがなく、よって、フッ化水素によるランプ保護管の白濁を解消することができて、装置性能の低下を防止することができるという優れた効果を奏する。また、ランプ保護管に放電灯を挿入するための挿入口に接近する人体の一部を感知し、感知信号を出力する感知手段と、前記感知信号に基づき前記電源の電路を遮断する開閉手段とを更に具えるようにすれば、ランプ保護管の挿入口に接近する人体の一部を感知して、電源の電路を遮断することにより、放電灯を消灯させることができるので、放電灯を交換する際の紫外線被爆を防止することができ、よって、上記の効果に加えて、人体に対する安全性を向上させることができるという優れた効果を奏する。
【００２８】
また、電源と放電灯とにそれぞれ電気的に接続されると共に、互いに電気的に接続される着脱自在な接続部材を、相手方の接続部材から取り外されて電気的な接続が切断されない限り、放電灯をガラス保護管から抜き出し得ないよう構成するようにしたので、放電灯と電源との電気的な接続を切断することにより、放電灯を消灯させることができるので、放電灯を交換する際の紫外線被爆を防止することができ、よって、人体に対する安全性を向上させることができるという優れた効果を奏する。また、前記放電灯に接続される接続部材と、該放電灯の他端側の電極に接続されるリード線を、ニッケルを主成分とする非被覆電線を使用すれば、該リード線が紫外線とオゾンに長時間晒されても、フッ化水素が生成されることがなく、フッ化水素によるランプ保護管の白濁を解消することができるので、上記の効果に加えて、装置性能の低下を防止することができるという優れた効果を奏する。また、上記各接続部材と、紫外線ランプを挿入するためのランプ保護管の挿入口に接近する人体の一部を感知し、感知信号を出力する感知手段と、前記感知信号に基づき前記電源の電路を遮断する開閉手段とを併用すれば、ランプ保護管の挿入口に接近する人体の一部を感知して、電源の電路を遮断することにより、放電灯を消灯させることができるので、放電灯を交換する際の紫外線被爆を防止することができ、より安全性と信頼性を高めることができるという優れた効果を奏する。
【図面の簡単な説明】
【図１】  本発明に係る紫外線浄化装置の一実施例を示す概略構成図。
【図２】  図１に示される紫外線浄化装置における放電灯の給電部分の拡大断面図。
【図３】  本発明に係る紫外線浄化装置の他の実施例を示し、放電灯の給電部分の拡大断面図。
【図４】  本発明に係る紫外線浄化装置の更に他の実施例を示し、監視センサーと安定器と一次側ブレーカーとの関係を表した説明図。
【図５】  従来技術の紫外線浄化装置を示す概略構成図。
【図６】  図５に示される紫外線浄化装置の放電灯を示す概略構成図。
【符号の説明】
１  シリンダー
２  石英ガラス管
２ａ  放電灯挿入口
３  放電灯
４  給電用口金
４ａ  小径部
４ｂ  大径部
５  ソケット
６ａ，６ｂ  給電ピン
７ａ，７ｂ  メス型プラグ
９  放電灯点灯用電源
１０ａ，１０ｂ  電極
１１ａ  リード線
１１ｂ  非被覆リード線
１２  オス型コネクター
１３  メス型コネクター
１７  監視センサー
２１  安定器
２２  一次側ブレーカー
【図１】
0004864221.tif 000002
【図２】
0004864221.tif 000003
【図３】
0004864221.tif 000004
【図４】
0004864221.tif 000005
【図５】
0004864221.tif 000006
【図６】
0004864221.tif 000007